(57)【要約】【課題】本発明は、周囲環境の温度変化とは無関係に輝度を安定に維持できる液晶表示装置のランプ駆動装置を提供する。【解決手段】本発明の液晶表示装置のランプ駆動装置は、ランプに電圧を供給するための変圧器と、前記変圧器の二次巻線と基底電圧源との間に接続される第１抵抗、前記変圧器の二次巻線に接続される整流部、及び前記整流部と前記基底電圧源との間に接続される第２抵抗を含み、前記変圧器の二次巻線に誘起される電圧を検出するための電圧検出部とを備える。 【選択図】図４
2006019269.tif 000002
【特許請求の範囲】
【請求項１】
ランプに電圧を供給するための変圧器と、
前記変圧器の二次巻線と基底電圧源との間に接続される第１抵抗、前記変圧器の二次巻線に接続される整流部、及び前記整流部と前記基底電圧源との間に接続される第２抵抗を含み、前記変圧器の二次巻線に誘起される電圧を検出するための電圧検出部と、を備えることを特徴とする液晶表示装置のランプ駆動装置。
【請求項２】
前記第１抵抗は略２００Ω〜４３０Ωの抵抗値を持ち、
前記第２抵抗は１５ｋΩ〜３５ｋΩの抵抗値を持つことを特徴とする請求項１に記載の液晶表示装置のランプ駆動装置。
【請求項３】
前記第１及び第２抵抗は、相互並列に接続されることを特徴とする請求項１に記載の液晶表示装置のランプ駆動装置。
【請求項４】
前記第１及び第２抵抗の合成抵抗は、２００Ω〜４３０Ωであることを特徴とする請求項１に記載の液晶表示装置のランプ駆動装置。
【請求項５】
前記整流部は、
前記変圧器の二次巻線と前記第１抵抗との間の第１ノードと前記基底電圧源との間に接続された第１ダイオードと、
前記変圧器の二次巻線及び前記第１ダイオードの両者の第２ノードと前記第２抵抗との間に接続された第２ダイオードと、を備えることを特徴とする請求項１に記載の液晶表示装置のランプ駆動装置。
【請求項６】
電圧源からの供給電圧を前記変圧器に提供するスイッチ素子と、
前記電圧検出部からの電圧に応答して、前記スイッチ素子を制御するための制御信号を発生する制御部と、をさらに備えることを特徴とする請求項１に記載の液晶表示装置のランプ駆動装置。
【請求項７】
前記第２抵抗により検出された電圧を降下するための電圧降下部をさらに備えることを特徴とする請求項６に記載の液晶表示装置のランプ駆動装置。
【請求項８】
前記整流部により検出された電圧を降下するための第３ダイオードをさらに備えることを特徴とする請求項６に記載の液晶表示装置のランプ駆動装置。
【請求項９】
前記第１抵抗と前記制御部との間に接続され、前記ランプを通過する過度な管電流を防止するための過電流保護部をさらに備えることを特徴とする請求項７に記載の液晶表示装置のランプ駆動装置。
【請求項１０】
前記第１抵抗と前記制御部との間に接続され、前記ランプを通過する過度な管電流を防止するための過電流保護部をさらに備えることを特徴とする請求項８に記載の液晶表示装置のランプ駆動装置。
【請求項１１】
前記過電流保護部は、
前記整流部の入力端と前記制御部の入力端との間に接続されて信号を整流させる第４ダイオードと、
前記第４ダイオードの一方の側と基底電圧源との間に接続されて前記第４ダイオードにより整流された信号の電圧を検出する第３抵抗と、
前記第３抵抗と並列に接続された前記第４ダイオードにより整流された信号を分割する第４抵抗と、
前記第４抵抗に供給された信号を整流させる第５ダイオードと、
前記第５ダイオードと基底電圧源との間に接続されて前記第５ダイオードにより整流された信号の電圧を検出する第５抵抗と、
前記第５抵抗と並列に接続されて前記第５抵抗により検出された電圧を維持するキャパシタと、を備えることを特徴とする請求項９に記載の液晶表示装置のランプ駆動装置。
【請求項１２】
前記過電流保護部は、
前記整流部の入力端と前記制御部の入力端との間に接続されて信号を整流させる第４ダイオードと、
前記第４ダイオードの一方の側と基底電圧源との間に接続されて前記第４ダイオードにより整流された信号の電圧を検出する第３抵抗と、
前記第３抵抗と並列に接続されて前記第４ダイオードにより整流された信号を分割する第４抵抗と、
前記第４抵抗に供給された信号を整流させる第５ダイオードと、
前記第５ダイオードと基底電圧源との間に接続されて前記第５ダイオードにより整流された信号の電圧を検出する第５抵抗と、
前記第５抵抗と並列に接続されて前記第５抵抗により検出された電圧を維持するキャパシタと、を備えることを特徴とする請求項１０に記載の液晶表示装置のランプ駆動装置。
【請求項１３】
前記過電流保護部は、
駆動電圧源と、
前記駆動電圧源の電圧を降下させるための第６抵抗と、
前記第６抵抗と基底電圧源との間に接続され、前記第５抵抗により検出された電圧によってターン-オンまたはターン-オフされる第１スイッチと、
前記制御部と基底電圧源との間に接続され、前記第１スイッチのターン-オン時にターン-オフされる第２スイッチと、を備えることを特徴とする請求項１１に記載の液晶表示装置のランプ駆動装置。
【請求項１４】
前記過電流保護部は、
駆動電圧源と、
前記駆動電圧源の電圧を降下させるための第６抵抗と、
前記第６抵抗と基底電圧源との間に接続され、前記第５抵抗により検出された電圧によってターン-オンまたはターン-オフされる第１スイッチと、
前記制御部と基底電圧源との間に接続され、前記第１スイッチのターン-オン時にターン-オフされる第２スイッチと、を備えることを特徴とする請求項１２記載の液晶表示装置のランプ駆動装置。
【請求項１５】
ランプに電圧を供給するための変圧器と、スイッチング制御信号により切換えられて電圧源からの供給電圧を前記変圧器に提供するスイッチ素子と、前記変圧器から供給される電圧を検出してフィードバック電圧を発生するための電圧検出部と、前記電圧検出部からのフィードバック電圧に応答して前記スイッチ素子をスイッチングさせるための制御部とを備え、
前記電圧検出部は、
前記変圧器の二次巻線と基底電圧源との間に接続され、前記変圧器の二次巻線に誘起される全体電流の中で第１電流からの電圧を検出するための抵抗値を持つ第１抵抗と、
前記変圧器の二次巻線に誘起される全体電流の中で第２電流を整流するための整流部と、
前記整流部と基底電圧源との間に接続され、前記整流部により整流された第２電流の電圧を検出するための第２抵抗値を持つ第２抵抗と、を備えることを特徴とする液晶表示装置のランプ駆動装置。
【請求項１６】
前記第２抵抗と前記制御部との間に接続され、前記第２抵抗により検出された電圧を降下するためのダイオードをさらに備えることを特徴とする請求項１５記載の液晶表示装置のランプ駆動装置。
【請求項１７】
前記整流部と前記第２抵抗との間に接続され、前記整流部により検出された電圧を降下するためのダイオードをさらに備えることを特徴とする請求項１５記載の液晶表示装置のランプ駆動装置。
【請求項１８】
前記第１抵抗と前記制御部との間に接続され、過度な管電流が前記ランプを通過することを防止するための過電流保護部をさらに備えることを特徴とする請求項１５記載の液晶表示装置のランプ駆動装置。
【請求項１９】
前記第１抵抗と前記制御部との間に接続され、過度な管電流が前記ランプを通過することを防止するための過電流保護部をさらに備えることを特徴とする請求項１６記載の液晶表示装置のランプ駆動装置。
【請求項２０】
第１抵抗値は略２００Ω〜４３０Ωであり、第２抵抗値は略１５ｋΩ〜３５ｋΩであることを特徴とする請求項１５記載の液晶表示装置のランプ駆動装置。
【発明の詳細な説明】
【技術分野】
【０００１】
本発明は液晶表示装置のランプ駆動装置に関し、特に、周囲環境の温度変化とは無関係に輝度を安定して維持できる液晶表示装置のランプ駆動装置に関する。
【背景技術】
【０００２】
通常、液晶表示装置は、軽量、薄型、低消費電力駆動などの特徴により、その応用範囲が益々拡大されつつある。これに伴い、液晶表示装置は、事務自動化機器やオーディオ/ビデオ機器などに利用されている。一方、液晶表示装置は、マトリクス状に配列された多数の制御用スイッチに印加される映像信号に応じて光ビームの透過量を調節することで、画面に所望の画像を表示することになる。
【０００３】
このような液晶表示装置は、自発光表示装置でないため、バックライトのような光源を必要とする。バックライトに使用される光源としては、冷陰極管(；以下“ＣＣＦＬ”という)が使用される。
【０００４】
ＣＣＦＬは、冷陰極放出(陰極表面に強い電界が加えられて発生する電子放出)現状を用いた光源管として、低発熱、高輝度、長寿命、フルカラー化などが容易である。このようなＣＣＦＬは、導光体方式、直射方式、反射板方式などがあり、液晶表示装置の要求によって選択される。
【０００５】
このようなＣＣＦＬの駆動のために、低圧の直流電源から高圧電源を得るためのインバーター回路が必要である。
【０００６】
図１及び図２を参照すれば、関連技術による液晶表示装置のランプ駆動装置は、多数のランプ１２を受納するランプハウジング１０と、多数のランプ１２の各々に出力電圧を供給するための多数のインバーターを持つインバーター部４と、インバーター部４が実装された第１印刷回路基板２と、多数のランプ１２が基底電圧源(ＧＮＤ)に共通に接続された第２印刷回路基板６とを備える。
【０００７】
ランプハウジング１０は、多数のランプを受納するための受納空間が具備されて、未図示のサポートメーンに積層される。
【０００８】
多数のランプ１２の各々は、インバーター部４からランプ出力電圧を供給されて可視光を未図示の液晶パネルに照射する。このような多数のランプ１２の各々は、ガラス管とガラス管内にある不活性気体とからなり、一端は変圧器１６の二次巻線(Ｔ２)の一方の側と接続され、他端は基底電圧源(ＧＮＤ)と接続される。ガラス管内には不活性気体が充填されており、ガラス管の内壁には蛍光体が塗布されている。このような多数のランプ１２の各々は、インバーター８から供給される高圧の交流電圧が高圧電極に印加されると、電子が放出されてガラス管内の不活性気体と衝突することで、幾何級数的に電子量が増加する。その増加した電子によりガラス管内に電流が流れることにより、電子によって不活性気体(Ａｒ、Ｎｅ)が励起されてエネルギーが発生し、このエネルギーが水銀を励起させながら紫外線が放出される。この紫外線はガラス管の内壁に塗布された発光性蛍光体に衝突して可視光線を放出させる。
【０００９】
第１印刷回路基板２は未図示のサポートメーンの背面の一方の側に折り畳まれる。
【００１０】
第２印刷回路基板６は未図示のサポートメーンの背面の他方の側に折り畳まれる。
【００１１】
インバーター部４を構成する多数のインバーター８の各々は、スイッチング制御信号に応答して電圧源(Ｖｉｎ)からの電圧を切換えるスイッチ素子１４と、スイッチ素子１４の切換えにより供給される電圧を出力電圧に変換する変圧器１６と、インバーター８の電圧を検出する電圧検出部２０と、電圧検出部２０からのフィードバック電圧に応答してスイッチ素子１４をスイッチングさせるための制御部(ＰＷＭ)１８とを備える。
【００１２】
スイッチ素子１４は、制御部１８からのスイッチング制御信号に応答して電圧源(Ｖｉｎ)からの電圧を変圧器１６に切換える。
【００１３】
変圧器１６は、スイッチ素子１４に接続された一次巻線(Ｔ１)とランプ１２に接続された二次巻線(Ｔ２)とからなる。一次巻線(Ｔ１)の両端はスイッチ素子１４に接続され、二次巻線(Ｔ２)の一端はランプ１２の一方の側に接続され、他端は電圧検出部２０に接続される。このような変圧器１６は、一次巻線(Ｔ１)及び二次巻線(Ｔ２)の巻線比により、一次巻線(Ｔ１)に供給される電圧を変換して二次巻線(Ｔ２)に誘起させる。二次巻線(Ｔ２)に誘起された電圧はランプ１２の一方の側を介してランプ１２に供給されてランプ１２を点灯させる。
【００１４】
電圧検出部２０は、変圧器１６の二次巻線(Ｔ２)に誘起された交流高電圧を検出してフィードバック電圧(ＦＢ)を生成する。このような電圧検出部２０は、ランプ１２の出力端に位置することができ、出力端に位置する場合、ランプ１２から出力される出力電圧を検出することになる。
【００１５】
制御部１８は、電圧検出部２０から生成されたフィードバック電圧(ＦＢ)を入力されてスイッチ素子１４のスイッチング周期を制御する。換言すれば、制御部１８は、フィードバック電圧(ＦＢ)がランプ１２を駆動させるための基準電圧以上の場合、スイッチ素子１４に供給されるスイッチング制御信号の幅を低減させてスイッチ素子１４のスイッチング時間を速くする。これにより、電圧源(Ｖｉｎ)から変圧器１６に供給される電圧が低減されてランプ１２を通過する電流は減少する。これに対して、フィードバック電圧(ＦＢ)が基準電圧以下の場合、制御部１８は、スイッチ素子１４に供給されるスイッチング制御信号の幅を増加させてスイッチ素子１４のスイッチング周期を遅くする。これにより、電圧源(Ｖｉｎ)から変圧器１６に供給される電圧が増加するので、ランプ１２を通過する電流は増加する。よって、多数のランプ１２の各々に供給される電圧が一定に維持され、多数のランプ１２から発生する光の輝度が一定に維持される。
【００１６】
しかしながら、このような関連の液晶表示装置のランプ駆動装置は、周囲環境の温度が低くなれば、例えば、航空機の高度上昇による温度低下、且つ、気候及び温度の低い地域におけるランプ１２から発生する光の輝度低下等の問題点がある。換言すれば、周囲環境の温度が低くなれば、ランプ１２内に充電されたガスの気体運動が減少してランプ１２の抵抗が増加する。これにより、変圧器１６の二次巻線(Ｔ２)の他端に接続された電圧検出部２０の電圧が上昇し、フィードバック電圧(ＦＢ)が上昇する。これにより、制御部１８は、スイッチ素子１４のスイッチング周期を速くして、電圧源(Ｖｉｎ)から変圧器１６に供給される電圧を低減させる。よって、図３に示すように、ランプ１２を通過する管電流が低減され、ランプ１２から発生する光の輝度が低下するという問題がある。
【発明の開示】
【発明が解決しようとする課題】
【００１７】
従って、本発明の目的は、周囲環境の温度変化とは無関係に輝度を安定に維持できる液晶表示装置のランプ駆動装置を提供することにある。
【課題を解決するための手段】
【００１８】
前記目的を達成するために、本発明に係る液晶表示装置のランプ駆動装置は、ランプに電圧を供給するための変圧器と、前記変圧器の二次巻線と基底電圧源との間に接続される第１抵抗、前記変圧器の二次巻線に接続される整流部、及び前記整流部と前記基底電圧源との間に接続される第２抵抗を含み、前記変圧器の二次巻線に誘起される電圧を検出するための電圧検出部とを備える。
【００１９】
前記第１抵抗は略２００Ω〜４３０Ωの抵抗値を持ち、前記第２抵抗は１５ｋΩ〜３５ｋΩの抵抗値を持つ。
【００２０】
前記第１及び第２抵抗は相互並列に接続される。
【００２１】
前記第１及び第２抵抗の合成抵抗は２００Ω〜４３０Ωである。
【００２２】
前記整流部は、前記変圧器の二次巻線及び前記第１抵抗の両者の第１ノードと前記基底電圧源との間に接続された第１ダイオードと、前記変圧器の二次巻線及び前記第１ダイオードの両者の第２ノードと前記第２抵抗との間に接続された第２ダイオードとを備える。
【００２３】
前記液晶表示装置のランプ駆動装置は、電圧源からの供給電圧を前記変圧器に提供するスイッチ素子と、前記電圧検出部からの電圧に応答して、前記スイッチ素子を制御するための制御信号を発生する制御部とをさらに備える。
【００２４】
前記液晶表示装置のランプ駆動装置は、前記第２抵抗により検出された電圧を降下するための電圧降下部をさらに備える。
【００２５】
前記整流部により検出された電圧を降下するための第３ダイオードをさらに備える。
【００２６】
前記液晶表示装置のランプ駆動装置は、前記第１抵抗と前記制御部との間に接続され、前記ランプを通過する過度な管電流を防止するための過電流保護部をさらに備える。
【００２７】
前記過電流保護部は、前記整流部の入力端と前記制御部の入力端との間に接続されて信号を整流させる第４ダイオードと、前記第４ダイオードの一方の側と基底電圧源との間に接続されて前記第４ダイオードにより整流された信号の電圧を検出する第３抵抗と、前記第３抵抗と並列に接続された前記第４ダイオードにより整流された信号を分割する第４抵抗と、前記第４抵抗に供給された信号を整流させる第５ダイオードと、前記第５ダイオードと基底電圧源との間に接続されて前記第５ダイオードにより整流された信号の電圧を検出する第５抵抗と、前記第５抵抗と並列に接続されて前記第５抵抗により検出された電圧を維持するキャパシタとを備える。
【００２８】
前記過電流保護部は、駆動電圧源と、前記駆動電圧源の電圧を降下させるための第６抵抗と、前記第６抵抗と基底電圧源との間に接続され、前記第５抵抗により検出された電圧によってターン-オンまたはターン-オフされる第１スイッチと、前記制御部と基底電圧源との間に接続され、前記第１スイッチのターン-オン時にターン-オフされる第２スイッチとを備える。
【００２９】
本発明に係る液晶表示装置のランプ駆動装置は、ランプに電圧を供給するための変圧器と、スイッチング制御信号により切換えられて電圧源からの供給電圧を前記変圧器に提供するスイッチ素子と、前記変圧器から供給される電圧を検出してフィードバック電圧を発生するための電圧検出部と、前記電圧検出部からのフィードバック電圧に応答して前記スイッチ素子をスイッチングさせるための制御部とを備える。
【００３０】
前記電圧検出部は、前記変圧器の二次巻線と基底電圧源との間に接続され、前記変圧器の二次巻線に誘起される全体電流の中で第１電流からの電圧を検出するための抵抗値を持つ第１抵抗と、前記変圧器の二次巻線に誘起される全体電流の中で第２電流を整流するための整流部と、前記整流部と基底電圧源との間に接続され、前記整流部により整流された第２電流の電圧を検出するための第２抵抗値を持つ第２抵抗とを備える。
【００３１】
前記液晶表示装置のランプ駆動装置は、前記第２抵抗と前記制御部との間に接続され、前記第２抵抗により検出された電圧を降下するためのダイオードをさらに備える。
【００３２】
前記液晶表示装置のランプ駆動装置は、前記整流部と前記第２抵抗との間に接続され、前記整流部により検出された電圧を降下するためのダイオードをさらに備える。
【００３３】
前記液晶表示装置のランプ駆動装置は、前記第１抵抗と前記制御部との間に接続され、過度な管電流が前記ランプを通過することを防止するための過電流保護部をさらに備える。
【００３４】
前記液晶表示装置のランプ駆動装置は、略２００Ω〜４３０Ωの第１抵抗値と、略１５ｋΩ〜３５ｋΩの第２抵抗値と持つ。
【発明の効果】
【００３５】
本発明に係る液晶表示装置のランプ駆動装置は、変圧器の二次巻線に誘起される電圧を検出する抵抗を４３０Ω以下に設定することにより、周辺温度の変化によりランプを貫通する管電流が低減することを防止し、ランプから発生する光の輝度低下を防止する。また、抵抗値によってランプを通過する管電流が急激な傾きを持つので、画面上において輝度安定化時間を短縮でき、且つ、表示品質の向上を図ることができる。そして、ランプに過度な管電流が通過する場合、ランプに供給される電源を遮断させてランプを保護できる。
【００３６】
前記目的の以外の本発明の他の目的及び特徴は、下記の実施例を通じてより明らかになる。
【発明を実施するための最良の形態】
【００３７】
以下、添付図面に基づき、本発明の好適な実施例を詳細に説明する。
【実施例１】
【００３８】
図４は本発明の実施例１による液晶表示装置のランプ駆動装置を示す図である。
同図を参照すれば、本発明の実施例１による液晶表示装置のランプ駆動装置は、光を発生する多数のランプ３２と、多数のランプ３２の各々にランプ電圧を供給するためのインバーター２８とを備える。
【００３９】
多数のランプ３２の各々は、インバーター２８からランプ出力電圧を供給されて可視光を未図示の液晶パネルに照射する。このような多数のランプ３２の各々は、ガラス管とガラス管内にある不活性気体とからなり、一端は変圧器１６の二次巻線(Ｔ２)の一方の側と接続され、他端は基底電圧源(ＧＮＤ)と接続される。ガラス管内には不活性気体が充填されており、ガラス管の内壁には蛍光体が塗布されている。また、多数のランプ３２の各々は、インバーター２８から供給される高圧の交流電圧が高圧電極に印加されると、電子が放出されてガラス管内の不活性気体と衝突することで、幾何級数的に電子量が増加する。その増加した電子によりガラス管内に電流が流れることにより、電子によって不活性気体(Ａｒ、Ｎｅ)が励起されてエネルギーが発生し、このエネルギーが水銀を励起させながら紫外線が放出される。この紫外線はガラス管の内壁に塗布された発光性蛍光体に衝突して可視光線を放出させる。
【００４０】
インバーター２８は、スイッチング制御信号に応答して電圧源(Ｖｉｎ)からの電圧を切換えるスイッチ素子３４と、スイッチ素子３４の切換えにより供給される電圧を出力電圧に変換する変圧器３６と、インバーター２８の電圧を検出する電圧検出部４０と、電圧検出部４０からのフィードバック電圧(ＦＢ)に応答してスイッチ素子３４をスイッチングさせるための制御部３８とを備える。
【００４１】
スイッチ素子３４は、制御部３８からのスイッチング制御信号に応答して電圧源(Ｖｉｎ)からの電圧を変圧器３６に切換える。
【００４２】
変圧器３６は、スイッチ素子３４に接続された一次巻線(Ｔ１)とランプ３２に接続された二次巻線(Ｔ２)とからなる。一次巻線(Ｔ１)の両端はスイッチ素子３４に接続され、二次巻線(Ｔ２)の一端はランプ３２の一方の側に接続され、他端は電圧検出部４０に接続される。このような変圧器３６は、一次巻線(Ｔ１)及び二次巻線(Ｔ２)の巻線比により、一次巻線(Ｔ１)に供給される電圧を変換して二次巻線(Ｔ２)に誘起させる。二次巻線(Ｔ２)に誘起された電圧(又は電流)はランプ３２の一方の側を介してランプ３２に供給されてランプ３２を点灯させる。
【００４３】
電圧検出部４０は、変圧器３６の二次巻線(Ｔ２)に誘起された電圧を検出してフィードバック電圧(ＦＢ)を生成する。このような電圧検出部４０は、変圧器３６の二次巻線(Ｔ２)に誘起された電流の中で第１電流を供給されてランプ３２に供給される電圧を検出するための第１抵抗(Ｒ１)と、変圧器３６の二次巻線(Ｔ２)に誘起された電流の中で第２電流を整流するための整流部３０と、整流部３０により整流された電流に対する電圧を検出するための第２及び第３抵抗(Ｒ２、Ｒ３)と、第２及び第３抵抗(Ｒ２、Ｒ３)により検出された電圧を降下するための電圧降下部４２とを備える。このような電圧検出部４０は、ランプ３２の出力端に位置することができ、出力端に位置する場合、ランプ３２から出力される出力電圧を検出することになる。
【００４４】
第１抵抗(Ｒ１)は、変圧器３６の二次巻線(Ｔ２)の他端と基底電圧源(ＧＮＤ)との間に設けられ、変圧器３６の二次巻線(Ｔ２)に誘起された電流の中で第１電流を供給されてランプ３２に供給される電圧を検出する。このとき、変圧器３６の二次巻線(Ｔ２)に誘起された電流の大きさは第１電流の大きさとほぼ類似している。換言すれば、変圧器３６の二次巻線(Ｔ２)に誘起された電流の大部分は第１抵抗(Ｒ１)に供給される。このような第１抵抗(Ｒ１)は、低温でランプ３２の管電流を補償するために、２００Ω〜４３０Ω程度、好ましくは３３０Ω程度の値を持つ。
【００４５】
整流部３０は、変圧器３６の二次巻線(Ｔ２)に誘起された電流の中で第２電流を整流する。このために、整流部３０は、第１抵抗(Ｒ１)の一方の側と基底電圧源(ＧＮＤ)との間に接続された第１ダイオード(Ｄ１)と、第１ダイオード(Ｄ１)の一方の側と第２及び第３抵抗(Ｒ２、Ｒ３)との間に接続された第２ダイオード(Ｄ２)とを備える。
【００４６】
第１ダイオード(Ｄ１)は、第１抵抗(Ｒ１)と基底電圧源(ＧＮＤ)との間に接続され、第２電流に対する電圧を検出すると共に第２電流を維持する。
【００４７】
第２ダイオード(Ｄ２)は、第１ダイオード(Ｄ１)と第２及び第３抵抗(Ｒ２、Ｒ３)との間に接続されて第２電流を整流する。換言すれば、第２ダイオード(Ｄ２)は、第２電流の中で正極性(＋)の電流は通過させ、負極性(−)の電流は遮断させる。これにより、第２及び第３抵抗(Ｒ２、Ｒ３)には正極性(＋)の電流のみが供給される。
【００４８】
第２及び第３抵抗(Ｒ２、Ｒ３)は、整流部３０の出力端と基底電圧源(ＧＮＤ)との間に並列に接続され、整流部３０により整流された電流に対する電圧を検出する。このような第２及び第３抵抗(Ｒ２、Ｒ３)は一つの抵抗で統合されることができる。このとき、第２及び第３抵抗(Ｒ２、Ｒ３)の合成抵抗値は、常温でランプ３２の管電流が略５ｍＡとなるように時定数が設定される場合、第１乃至第３抵抗(Ｒ１乃至Ｒ３)の合成抵抗値を略４３０Ω以下(例えば、２００Ω〜４３０Ω)に維持するために、即ち、低温でランプ３２を貫通する管電流を補償するために、略１５ｋΩ〜３５ｋΩ程度、好ましくは２５.７ｋΩ程度の抵抗値を持つ。 
【００４９】
電圧降下部４２は、第２及び第３抵抗(Ｒ２、Ｒ３)と制御部３８との間に接続され、第２及び第３抵抗(Ｒ２、Ｒ３)で検出された電圧を降下させると共に、第２ダイオード(Ｄ２)から供給される電流を整流させる。このために、電圧降下部４２は、第３及び第４ダイオード(Ｄ３、Ｄ４)が並列に接続されて廃ループを形成する。
【００５０】
制御部３８は、電圧検出部４０から生成されたフィードバック電圧(ＦＢ)を入力されてスイッチ素子３４のスイッチング周期を制御する。換言すれば、制御部３８は、フィードバック電圧(ＦＢ)がランプ３２を駆動させるための基準電圧以上の場合、スイッチ素子３４に供給されるスイッチング制御信号の幅を低減させてスイッチ素子３４のスイッチング時間を速くする。これにより、電圧源(Ｖｉｎ)から変圧器３６に供給される電圧が低減されてランプ３２を通過する電流は減少する。これに対して、フィードバック電圧(ＦＢ)が基準電圧以下の場合、制御部３８は、スイッチ素子３４に供給されるスイッチング制御信号の幅を増加させてスイッチ素子３４のスイッチング周期を遅くする。これにより、電圧源(Ｖｉｎ)から変圧器３６に供給される電圧が増加するので、ランプ３２を通過する電流は増加する。よって、多数のランプ３２の各々に供給される電圧が一定に維持され、多数のランプ３２から発生する光の輝度が一定に維持される。
【００５１】
このような制御部３８による低温時のランプ駆動装置の動作を説明する。インバーター２８がオンであれば、初期に変圧器３６の一次巻線(Ｔ１)に発生した電力が二次巻線(Ｔ２)にそのまま供給される。これにより、第１抵抗(Ｒ１)に初期電流が流れることになり、このような初期電流と第１抵抗(Ｒ１)の抵抗値との積によりフィードバック電圧(ＦＢ)が形成される。このとき、第１抵抗(Ｒ１)の抵抗値が小さいほどフィードバック電圧(ＦＢ)は小さくなるので、制御部３８はスイッチング制御信号の幅を増加させてより多くの電圧を変圧器３６の二次巻線(Ｔ２)に供給する。しかし、第１抵抗(Ｒ１)の抵抗値が小さすぎると、変圧器３６の二次巻線(Ｔ２)に誘起された電圧(又は電流)は非常に大きくなるので、本発明の実施例１による液晶表示装置のランプ駆動装置では、第１抵抗(Ｒ１)の抵抗値を２００Ω〜４３０Ω程度、好ましくは３３０Ω程度に維持した。これにより、関連の液晶表示装置のランプ駆動装置が、より多くの電圧を変圧器３６の二次巻線(Ｔ２)に誘起させることになるので、ランプ３２を通過する管電流は増加することになる。
【００５２】
【表１】
2006019269.tif 000003
【００５３】
表１は、常温でランプ３２が正常に動作し、ランプ３２の飽和時にインバーター２８の全体入力電流が３.７Ａの場合、低温状態で第１抵抗(Ｒ１)の抵抗値に応じたインバーターの全体入力電流の変化量を示すものである。表１に示すように、第１抵抗(Ｒ１)の抵抗値が４３０Ω以下(例えば、２００Ω〜４３０Ω)となる時、ランプ３２から発生する光の輝度低下を防止できることが分かる。
【００５４】
このように、本発明の実施例１による液晶表示装置のランプ駆動装置は、変圧器３６の二次巻線(Ｔ２)に誘起された電流の中で第１電流を供給されてランプ３２に供給される電圧を検出する第１抵抗(Ｒ１)を４３０Ω以下に維持すると共に、第１乃至第３抵抗(Ｒ１乃至Ｒ３)の合成抵抗値を４３０Ω以下に維持することにより、図５に示すように、関連の液晶表示装置のランプ駆動装置における常温時にランプ３２を通過する電流(Ｂ)よりも多くの電流(Ａ)がランプ３２を通過することになる。また、本発明の実施例１による液晶表示装置のランプ駆動装置は、周囲環境の温度が変化しても、関連の液晶表示装置のランプ駆動装置における常温時にランプ３２を通過する電流(Ｂ)と類似な大きさの電流(Ｃ)がランプ３２を通過することになる。これにより、ランプ３２から発生する光の輝度低下を防止できる。また、第１乃至第３抵抗(Ｒ１乃至Ｒ３)の合成抵抗値によりランプ３２を通過する管電流が急激な傾きを持つので、画面上において輝度安定化時間を短縮でき、且つ、表示品質の向上を図ることができる。
【実施例２】
【００５５】
図６は本発明の実施例２による液晶表示装置のランプ駆動装置を示す図、図７は図６に示す過電流保護部を示す図である。
【００５６】
図６及び図７を参照すれば、本発明の実施例２による液晶表示装置のランプ駆動装置は、電圧検出部を除いた構成要素らが、本発明の実施例１による液晶表示装置のランプ駆動装置と同様なので、その詳細な説明は省略する。
【００５７】
電圧検出部６０は、変圧器５６の二次巻線(Ｔ２)に誘起された電圧及びランプ５２を貫通する管電流を検出してフィードバック電圧(ＦＢ)を生成する。このような電圧検出部６０は、変圧器５６の二次巻線(Ｔ２)に誘起された電流の中で第１電流を供給されてランプ５２に供給される電圧を検出するための第１抵抗(Ｒ１)と、変圧器５６の二次巻線(Ｔ２)に誘起された電流の中で第２電流を整流するための整流部５０と、整流部５０により整流された電流に対する電圧を検出するための第２及び第３抵抗(Ｒ２、Ｒ３)と、第２及び第３抵抗(Ｒ２、Ｒ３)により検出された電圧を降下するための電圧降下部６２と、ランプ５２を貫通する管電流が過度に流れることを防止するための過電流保護部６４とを備える。このような電圧検出部６０は、ランプ５２の出力端に位置することができ、出力端に位置する場合、ランプ５２から出力される出力電圧を検出する。
【００５８】
第１抵抗(Ｒ１)は、変圧器５６の二次巻線(Ｔ２)の他端と基底電圧源(ＧＮＤ)との間に設けられ、変圧器５６の二次巻線(Ｔ２)に誘起された電流の中で第１電流を供給されてランプ５２に供給される電圧を検出する。このとき、変圧器５６の二次巻線(Ｔ２)に誘起された電流の大きさは第１電流の大きさとほぼ類似している。換言すれば、変圧器５６の二次巻線(Ｔ２)に誘起された電流の大部分は第１抵抗(Ｒ１)に供給される。このような第１抵抗(Ｒ１)は、低温でランプ５２の管電流を補償するために、２００Ω〜４３０Ω程度、好ましくは３３０Ω程度の値を持つ。
【００５９】
整流部５０は、変圧器５６の二次巻線(Ｔ２)に誘起された電流の中で第２電流を整流する。このために、整流部５０は、第１抵抗(Ｒ１)の一方の側と基底電圧源(ＧＮＤ)との間に接続された第１ダイオード(Ｄ１)と、第１ダイオード(Ｄ１)の一方の側と第２及び第３抵抗(Ｒ２、Ｒ３)との間に接続された第２ダイオード(Ｄ２)とを備える。
【００６０】
第１ダイオード(Ｄ１)は、第１抵抗(Ｒ１)と基底電圧源(ＧＮＤ)との間に接続され、第２電流に対する電圧を検出すると共に第２電流を維持する。
【００６１】
第２ダイオード(Ｄ２)は、第１ダイオード(Ｄ１)と第２及び第３抵抗(Ｒ２、Ｒ３)との間に接続されて第２電流を整流する。換言すれば、第２ダイオード(Ｄ２)は、第２電流の中で正極性(＋)の電流は通過させ、負極性(−)の電流は遮断させる。これにより、第２及び第３抵抗(Ｒ２、Ｒ３)には正極性(＋)の電流のみが供給される。
【００６２】
第２及び第３抵抗(Ｒ２、Ｒ３)は、整流部５０の出力端と基底電圧源(ＧＮＤ)との間に並列に接続され、整流部５０により整流された電流に対する電圧を検出する。このような第２及び第３抵抗(Ｒ２、Ｒ３)は一つの抵抗で統合されることができる。このとき、第２及び第３抵抗(Ｒ２、Ｒ３)の合成抵抗値は、常温でランプ５２の管電流が略５ｍＡとなるように時定数が設定される場合、第１乃至第３抵抗(Ｒ１乃至Ｒ３)の合成抵抗値を略４３０Ω以下(例えば、２００Ω〜４３０Ω)に維持するために、即ち、低温でランプ５２を貫通する管電流を補償するために、略１５ｋΩ〜３５ｋΩ程度、好ましくは２５.７ｋΩ程度の抵抗値を持つ。 
【００６３】
電圧降下部６２は、第２及び第３抵抗(Ｒ２、Ｒ３)と制御部５８との間に接続され、第２及び第３抵抗(Ｒ２、Ｒ３)で検出された電圧を降下させると共に、第２ダイオード(Ｄ２)から供給される電流を整流させる。このために、電圧降下部６２は、第３及び第４ダイオード(Ｄ３、Ｄ４)が並列に接続されて廃ループを形成する。
【００６４】
過電流保護部６４は、第１抵抗(Ｒ１)と整流部５０との間に形成された第１ノード(Ｎ１)と、制御部５８と電圧降下部６２との間に形成された第２ノード(Ｎ２)との間に設けられ、ランプ５２に過度な管電流が流れることを防止する。このために、過電流保護部６４は、図７に示すように、第２電流を整流するための第５ダイオード(Ｄ５)と、第５ダイオード(Ｄ５)により整流された電流に対する電圧を分割するための第４及び第５抵抗(Ｒ４、Ｒ５)と、第４及び第５抵抗(Ｒ４、Ｒ５)により分割された電流を整流するための第６ダイオード(Ｄ６)と、第６ダイオード(Ｄ６)により整流された電流に対する電圧を検出するための第６抵抗(Ｒ６)と、第６抵抗(Ｒ６)により検出された電圧を一定に維持させるためのキャパシタ(Ｃ)と、第１及び第２スイッチ(Ｑ１、Ｑ２)を駆動させるための駆動電源(ＶＤＤ)と、駆動電源(ＶＤＤ)から供給される電圧を低減させるための第７抵抗(Ｒ７)と、第６抵抗(Ｒ６)により検出された電圧によってターン-オン又はターン-オフされる第１スイッチ(Ｑ１)と、第１スイッチ(Ｑ１)によりターン-オン又はターン-オフされる第２スイッチ(Ｑ２)とを備える。
【００６５】
このような過電流保護部６４は、ランプ５２を通過する管電流が過度に増加すると、即ち、変圧器５６の二次巻線(Ｔ２)に電圧が過度に誘起されると、第１スイッチ(Ｑ１)はターン-オフさせ、第２スイッチ(Ｑ２)はターン-オンさせてランプ５２に供給される電圧を遮断する。換言すれば、変圧器５６の二次巻線(Ｔ２)に過度な電流が誘起されると、誘起された過電流の中、第１電流は第１抵抗(Ｒ１)に供給され、第２電流は整流部５０に供給される。このとき、整流部５０にはランプ５２の正常駆動時に供給される第２電流よりも非常に大きい電流が供給される。整流部５０は、供給された第２電流を整流して正極性(＋)の電流のみを第２及び第３抵抗(Ｒ２、Ｒ３)に供給する。これにより、第２及び第３抵抗(Ｒ２、Ｒ３)は供給された第２電流に対する電圧を検出する。以後、第２及び第３抵抗(Ｒ２、Ｒ３)により検出された電圧は、電圧降下部６２により電圧が降下されて第２ノード(Ｎ２)上に維持される。
【００６６】
また、変圧器５６の二次巻線(Ｔ２)に誘起された過電流の中で第２電流は第５ダイオード(Ｄ５)により整流されて正極性(＋)の電流のみが第４及び第５抵抗(Ｒ４、Ｒ５)に供給され、第４及び第５抵抗(Ｒ４、Ｒ５)に供給された第２電流は第４及び第５抵抗(Ｒ４、Ｒ５)により分割される。換言すれば、第４抵抗(Ｒ４)の抵抗値が第５抵抗(Ｒ５)以後に設けられた回路素子の全体抵抗値よりも大きい場合、第５ダイオード(Ｄ５)により整流された電流は第４抵抗(Ｒ４)より第５抵抗(Ｒ５)の方が多く供給される。これにより、第５抵抗(Ｒ５)は第４抵抗(Ｒ４)より高電圧を維持することになる。しかし、第４抵抗(Ｒ４)の抵抗値が第５抵抗(Ｒ５)以後に設けられた回路素子の全体抵抗値よりも小さい場合、第４抵抗(Ｒ４)の方に多い電流が供給されるので、第４抵抗(Ｒ４)が第５抵抗(Ｒ５)より高電圧を維持することになる。このような第４及び第５抵抗(Ｒ４、Ｒ５)の抵抗値は任意に変更可能である。第４及び第５抵抗(Ｒ４、Ｒ５)により分割された電流は第６ダイオード(Ｄ６)により整流され、第６ダイオード(Ｄ６)により整流された電流に対する電圧は第６抵抗(Ｒ６)により検出される。このとき、第６抵抗(Ｒ６)により検出された電圧は、第１スイッチ(Ｑ１)のドレイン端子に供給される電圧より大きくなり、第１スイッチ(Ｑ１)をターン-オフさせる。これにより、第２スイッチ(Ｑ２)がターン-オンされて、第２ノード(Ｎ２)上に存在する電圧は第２スイッチ(Ｑ２)を介して基底電圧源(ＧＮＤ)に伝達される。このため、電圧検出部６０からのフィードバック電圧(ＦＢ)が制御部５８に伝達されるので、制御部５８はスイッチ素子５４のスイッチングを遮断してランプ５２に供給される電圧を遮断させる。
【００６７】
このように、本発明の実施例２による液晶表示装置のランプ駆動装置は、第１抵抗(Ｒ１)を４３０Ω以下に維持すると共に、第１乃至第３抵抗(Ｒ１乃至Ｒ３)の合成抵抗を４３０Ω以下に維持することにより、周辺温度の変化によりランプ５２を通過する管電流が低減することを防止できる。これにより、ランプ５２から発生する光の輝度低下を防止できる。また、第１乃至第３抵抗(Ｒ１乃至Ｒ３)の合成抵抗値によりランプ５２を通過する管電流が急激な傾きを持つので、画面上において輝度安定化時間を短縮でき、且つ、表示品質の向上を図ることができる。そして、ランプ５２に過度な管電流が通過する場合、ランプ５２に供給される電源の遮断によりランプ５２を保護する。
【実施例３】
【００６８】
図８は本発明の実施例３による液晶表示装置のランプ駆動装置を示す図である。
同図を参照すれば、本発明の実施例３による液晶表示装置のランプ駆動装置は、電圧検出部を除いた構成要素らが、本発明の実施例１による液晶表示装置のランプ駆動装置と同様なので、その詳細な説明は省略する。
【００６９】
電圧検出部８０は、変圧器７６の二次巻線(Ｔ２)に誘起された電圧を検出してフィードバック電圧(ＦＢ)を生成する。このような電圧検出部８０は、変圧器７６の二次巻線(Ｔ２)に誘起された電流の中で第１電流を供給されてランプ７２に供給される電圧を検出するための第１抵抗(Ｒ１)と、変圧器７６の二次巻線(Ｔ２)に誘起された電流の中で第２電流を整流するための整流部７０と、整流部７０により整流された電流を整流させると共に電圧を降下させる第３ダイオード(Ｄ３)と、第３ダイオード(Ｄ３)により整流された電流に対する電圧を検出するための第２及び第３抵抗(Ｒ２、Ｒ３)とを備える。
【００７０】
第１抵抗(Ｒ１)は、変圧器７６の二次巻線(Ｔ２)の他端と基底電圧源(ＧＮＤ)との間に設けられ、変圧器７６の二次巻線(Ｔ２)に誘起された電流の中で第１電流を供給されてランプ７２に供給される電圧を検出する。このとき、変圧器７６の二次巻線(Ｔ２)に誘起された電流の大きさは第１電流の大きさとほぼ類似している。換言すれば、変圧器７６の二次巻線(Ｔ２)に誘起された電流の大部分は第１抵抗(Ｒ１)に供給される。このような第１抵抗(Ｒ１)は、低温でランプ７２の管電流を補償するために、２００Ω〜４３０Ω程度、好ましくは３３０Ω程度の値を持つ。
【００７１】
整流部７０は、変圧器７６の二次巻線(Ｔ２)に誘起された電流の中で第２電流を整流する。このために、整流部７０は、第１抵抗(Ｒ１)の一方の側と基底電圧源(ＧＮＤ)との間に接続された第１ダイオード(Ｄ１)と、第１ダイオード(Ｄ１)の一方の側と第２及び第３抵抗(Ｒ２、Ｒ３)との間に接続された第２ダイオード(Ｄ２)とを備える。
【００７２】
第１ダイオード(Ｄ１)は、第１抵抗(Ｒ１)と基低電圧源(ＧＮＤ)との間に接続され、第２電流に対する電圧を検出すると共に第２電流を維持する。
【００７３】
第２ダイオード(Ｄ２)は、第１ダイオード(Ｄ１)と第２及び第３抵抗(Ｒ２、Ｒ３)との間に接続されて第２電流を整流する。換言すれば、第２ダイオード(Ｄ２)は、第２電流の中で正極性(＋)の電流は通過させ、負極性(−)の電流は遮断させる。これにより、第３ダイオード(Ｄ３)には正極性(＋)の電流のみが供給される。
【００７４】
第３ダイオード(Ｄ３)は、整流部７０により整流された電流を整流させると共に、第１ダイオード(Ｄ１)により検出された電圧を降下させる。
【００７５】
第２及び第３抵抗(Ｒ２、Ｒ３)は、第３ダイオード(Ｄ３)の出力端と基底電圧源(ＧＮＤ)との間に並列に接続され、第３ダイオード(Ｄ３)により整流された電流に対する電圧を検出する。このような第２及び第３抵抗(Ｒ２、Ｒ３)は一つの抵抗で統合されることができる。このとき、第２及び第３抵抗(Ｒ２、Ｒ３)の合成抵抗値は、常温でランプ７２の管電流が略５ｍＡとなるように時定数が設定される場合、第１乃至第３抵抗(Ｒ１乃至Ｒ３)の合成抵抗値を略４３０Ω以下(例えば、２００Ω〜４３０Ω)に維持するために、即ち、低温でランプ７２を貫通する管電流を補償するために、略１５ｋΩ〜３５ｋΩ程度、好ましくは２５.７ｋΩ程度の抵抗値を持つ。 
【００７６】
このように、本発明の実施例３による液晶表示装置のランプ駆動装置は、第１抵抗(Ｒ１)を４３０Ω以下に維持すると共に、第１乃至第３抵抗(Ｒ１乃至Ｒ３)の合成抵抗を４３０Ω以下に維持することにより、周辺温度の変化によりランプ７２を通過する管電流が低減することを防止できる。これにより、ランプ７２から発生する光の輝度低下を防止できる。また、第１乃至第３抵抗(Ｒ１乃至Ｒ３)の合成抵抗値によりランプ７２を通過する管電流が急激な傾きを持つので、画面上において輝度安定化時間を短縮でき、且つ、表示品質の向上を図ることができる。
【実施例４】
【００７７】
図９は本発明の実施例４による液晶表示装置のランプ駆動装置を示す図である。
同図を参照すれば、本発明の実施例４による液晶表示装置のランプ駆動装置は、電圧検出部を除いた構成要素らが、本発明の実施例２による液晶表示装置のランプ駆動装置と同様なので、その詳細な説明は省略する。
【００７８】
電圧検出部１００は、変圧器９６の二次巻線(Ｔ２)に誘起された電圧及びランプ９２を貫通する管電流を検出してフィードバック電圧(ＦＢ)を生成する。このような電圧検出部１００は、変圧器９６の二次巻線(Ｔ２)に誘起された電流の中で第１電流を供給されてランプ９２に供給される電圧を検出するための第１抵抗(Ｒ１)と、変圧器９６の二次巻線(Ｔ２)に誘起された電流の中で第２電流を整流するための整流部９０と、整流部９０により整流された電流を整流させると共に整流部９０により検出された電圧を降下させる第３ダイオード(Ｄ３)と、第３ダイオード(Ｄ３)により整流された電流に対する電圧を検出するための第２及び第３抵抗(Ｒ２、Ｒ３)と、ランプ９２を貫通する管電流が過度に流れることを防止するための過電流保護部１０４とを備える。このような電圧検出部１００は、ランプ９２の出力端に位置することができ、出力端に位置する場合、ランプ９２から出力される出力電圧を検出する。
【００７９】
第１抵抗(Ｒ１)は、変圧器９６の二次巻線(Ｔ２)の他端と基底電圧源(ＧＮＤ)との間に設けられ、変圧器９６の二次巻線(Ｔ２)に誘起された電流の中で第１電流を供給されてランプ９２に供給される電圧を検出する。このとき、変圧器９６の二次巻線(Ｔ２)に誘起された電流の大きさは第１電流の大きさとほぼ類似している。換言すれば、変圧器９６の二次巻線(Ｔ２)に誘起された電流の大部分は第１抵抗(Ｒ１)に供給される。このような第１抵抗(Ｒ１)は、低温でランプ９２の管電流を補償するために、２００Ω〜４３０Ω程度、好ましくは３３０Ω程度の値を持つ。
【００８０】
整流部９０は、変圧器９６の二次巻線(Ｔ２)に誘起された電流の中で第２電流を整流する。このために、整流部９０は、第１抵抗(Ｒ１)の一方の側と基底電圧源(ＧＮＤ)との間に接続された第１ダイオード(Ｄ１)と、第１ダイオード(Ｄ１)の一方の側と第２及び第３抵抗(Ｒ２、Ｒ３)との間に接続された第２ダイオード(Ｄ２)とを備える。
【００８１】
第１ダイオード(Ｄ１)は、第１抵抗(Ｒ１)と基底電圧源(ＧＮＤ)との間に接続され、第２電流に対する電圧を検出すると共に第２電流を維持する。
【００８２】
第２ダイオード(Ｄ２)は、第１ダイオード(Ｄ１)と第２及び第３抵抗(Ｒ２、Ｒ３)との間に接続されて第２電流を整流する。換言すれば、第２ダイオード(Ｄ２)は、第２電流の中で正極性(＋)の電流は通過させ、負極性(−)の電流は遮断させる。これにより、第３ダイオード(Ｄ３)には正極性(＋)の電流のみが供給される。
【００８３】
第３ダイオード(Ｄ３)は、第１ダイオード(Ｄ１)により検出された電圧を降下させると共に、第２ダイオード(Ｄ２)により整流された電流を整流させる。
【００８４】
第２及び第３抵抗(Ｒ２、Ｒ３)は、第３ダイオード(Ｄ３)の出力端と基底電圧源(ＧＮＤ)との間に並列に接続され、第３ダイオード(Ｄ３)により整流された電流に対する電圧を検出する。このような第２及び第３抵抗(Ｒ２、Ｒ３)は一つの抵抗で統合されることができる。このとき、第２及び第３抵抗(Ｒ２、Ｒ３)の合成抵抗値は、常温でランプ９２の管電流が略５ｍＡとなるように時定数が設定される場合、第１乃至第３抵抗(Ｒ１乃至Ｒ３)の合成抵抗値を略４３０Ω以下(例えば、２００Ω〜４３０Ω)に維持するために、即ち、低温でランプ９２を貫通する管電流を補償するために、略１５ｋΩ〜３５ｋΩ程度、好ましくは２５.７ｋΩ程度の抵抗値を持つ。 
【００８５】
過電流保護部１０４は、その構成要素及び動作が、本発明の実施例２による液晶表示装置のランプ駆動装置と同様なので、その詳細な説明は省略する。
【００８６】
このように、本発明の実施例４による液晶表示装置のランプ駆動装置は、第１抵抗(Ｒ１)を４３０Ω以下に維持すると共に、第１乃至第３抵抗(Ｒ１乃至Ｒ３)の合成抵抗を４３０Ω以下に維持することにより、周辺温度の変化によりランプ９２を通過する管電流が低減することを防止できる。これにより、ランプ９２から発生する光の輝度低下を防止できる。また、第１乃至第３抵抗(Ｒ１乃至Ｒ３)の合成抵抗値によりランプ９２を通過する管電流が急激な傾きを持つので、画面上において輝度安定化時間を短縮でき、且つ、表示品質の向上を図ることができる。そして、ランプ９２に過度な管電流が通過する場合、ランプ９２に供給される電源の遮断によりランプ９２を保護する。
【００８７】
上述したように、本発明の実施例らによる液晶表示装置のランプ駆動装置は、変圧器の二次巻線に誘起される電圧を検出する抵抗を４３０Ω以下に設定することにより、周辺温度の変化によりランプを貫通する管電流が低減されることを防止し、ランプから発生する光の輝度低下を防止する。また、抵抗値によりランプを通過する管電流が急激な傾きを持つので、画面上において輝度安定化時間を短縮でき、且つ、表示品質の向上を図ることができる。そして、ランプに過度な管電流が通過する場合、ランプに供給される電源の遮断によりランプを保護する。
【００８８】
以上で説明した内容により、当業者であれば本発明の技術思想から逸脱しない範囲内で多様に変更及び修正が可能であることが分かる。従って、本発明の技術的範囲は、明細書の詳細な説明に記載された内容に限るものではなく、特許請求の範囲により定められなければならない。
【図面の簡単な説明】
【００８９】
【図１】関連の液晶表示装置のランプ駆動装置を示す図である。
【図２】図１に示す液晶表示装置のランプ駆動装置の概略図である。
【図３】図２に示す液晶表示装置のランプ駆動装置において、温度変化によるランプの管電流を示す図である。
【図４】本発明の実施例１による液晶表示装置のランプ駆動装置を示す図である。
【図５】図４に示す液晶表示装置のランプ駆動装置における低温時のランプの管電流を示す図である。
【図６】本発明の実施例２による液晶表示装置のランプ駆動装置を示す図である。
【図７】図６に示す過電流保護部を示す図である。
【図８】本発明の実施例３による液晶表示装置のランプ駆動装置を示す図である。
【図９】本発明の実施例４による液晶表示装置のランプ駆動装置を示す図である。
【符号の説明】
【００９０】
２、６    印刷回路基板
４        インバーター部
８、２８、４８、６８、８８  インバーター
１０      ランプハウジング
１２、３２、５２、７２、９２  ランプ
１４、３４、５４、７４、９４  スイッチ素子
１６、３６、５６、７６、９６  変圧器
１８、３８、５８、７８、９８  制御部
２０、４０、６０、８０、１００  電圧検出部
３０、５０、７０、９０  整流部
４２、６２    電圧降下部
６４、１０４  過電流保護部
【図１】
2006019269.tif 000004
【図２】
2006019269.tif 000005
【図３】
2006019269.tif 000006
【図４】
2006019269.tif 000007
【図５】
2006019269.tif 000008
【図６】
2006019269.tif 000009
【図７】
2006019269.tif 000010
【図８】
2006019269.tif 000011
【図９】
2006019269.tif 000012